(57)【特許請求の範囲】
【請求項１】
回転基部と、
この回転基部から連続して目盛板上を所定方向に延びる棒状の指示部とを有する導光部材と、
前記回転基部の周囲を覆う第１のカバー部と、
この第１のカバー部から連続して前記指示部に沿って延びる第２のカバー部とを有するカバー部材とを備え、
前記回転基部には、光源からの光を指示部の先端側に向けて反射する反射部が形成され、前記第１のカバー部は、前記回転基部の前面領域の少なくとも一部を覆う第１の前面壁と、
前記回転基部の側面領域を覆う第１の側面壁と、
目盛板側に開口する開口部とを有し、
前記第２のカバー部は前記指示部の長手方向輪郭形状に対応した開口窓と、
前記指示部の長手方向側面領域を覆う一対の第２の側面壁とを有する指針装置において、前記第２のカバー部は、前記目盛板側に前記第２の側面壁どうしを繋いでなる遮光部によって有底に連続形成され、
前記指示部の先端を保持する袋状に形成された外れ防止部と、
前記遮光部の前記開口部に隣接する箇所と前記開口窓の前記回転基部側箇所との間に、前記開口部と前記開口窓とに連通する連通部とを形成し、
前記連通部が前記回転基部の回転軸線と平行な直線方向両方向に開口することを特徴とする指針装置。
【請求項２】
回転基部と、
この回転基部から連続して目盛板上を所定方向に延びる棒状の指示部とを有する導光部材と、
前記回転基部の周囲を覆う第１のカバー部と、
この第１のカバー部から連続して前記指示部に沿って延びる第２のカバー部とを有するカバー部材とを備え、
前記回転基部には、光源からの光を指示部の先端側に向けて反射する反射部が形成され、
前記第１のカバー部は、前記回転基部の前面領域の少なくとも一部を覆う第１の前面壁と、
前記回転基部の側面領域を覆う第１の側面壁と、
目盛板側に開口する開口部とを有し、
前記第２のカバー部は前記指示部の長手方向輪郭形状に対応した開口窓と、
前記指示部の長手方向側面領域を覆う一対の第２の側面壁とを有する指針装置の組付け方法において、
前記第２のカバー部は、前記目盛板側に前記第２の側面壁どうしを繋いでなる遮光部によって有底に連続形成され、
前記指示部の先端を保持する袋状に形成された外れ防止部と、
前記遮光部の前記開口部に隣接する箇所と前記開口窓の前記回転基部側箇所との間に、前記開口部と前記開口窓とに連通するとともに、前記回転基部の回転軸線と平行な直線方向両方向に開口する連通部とを形成し、
前記導光部材における前記指示部先端を前記開口部側から前記連通部を通して前記開口窓側に貫通させた後、
前記導光部材の両端側と前記カバー部材の両端側とが近づく方向に回転移動させて、
前記指示部の先端を前記外れ防止部に挿入することにより、前記導光部材を前記カバー部材に組付けた際に前記指示部の先端が前方に外れることを防止して保持し、
前記開口窓内に前記指示部が収納されると共に前記開口部内に前記回転基部が収納されるように前記導光部材を前記カバー部材に組付けてなることを特徴とする指針装置の組付け方法。
【発明の詳細な説明】
【技術分野】
【０００１】
本発明は、例えば自動車やオートバイの計器装置に適用され、目盛板上を軸回り回転する指針装置に関し、特に導光部材の周囲を遮光部材にて覆うと共にカバー部材に設けた透視部から導光部材が部分的に視認される指針装置およびその組付け方法に関する。
【背景技術】
【０００２】
この種の指針装置として例えば下記特許文献１に記載されたものが知られている。この指針装置は、ステッピングモータ等の駆動軸に直接または間接的に連結される回転基部と、この回転基部から連続して目盛板上を所定方向に延びる棒状の指示部とを有する導光部材と、回転基部の周囲を覆う第１のカバー部と、この第１のカバー部から連続して指示部に沿って延びる第２のカバー部とを有するカバー部材と、第１，第２のカバー部の目盛板側に形成される開口部を塞ぐ遮光性材料からなる閉塞部材とを備えている。
【０００３】
回転基部には、光源からの光を指示部の先端側に向けて反射する反射部が形成され、また指示部の前面または目盛板側となる背面にはホットスタンプ層が形成されている。
【０００４】
第１のカバー部は、回転基部の前面領域と側面領域とを連続して覆うと共に前面領域に部分形成した透視部から回転基部内に位置する指示部を視認可能に設けた第１の壁部と、目盛板側に開口する第１の開口部とを有する円筒形に形成され、第２のカバー部は指示部の前面領域と側面領域とを連続して覆うと共に前面領域に部分形成した開口窓から指示部を視認可能に設けた第２の壁部と、目盛板側に開口する第２の開口部とを有する細長い箱形に形成されている。
【０００５】
閉塞部材は、カバー部材を目盛板側から塞ぐようにカバー部材に組付け固定され、第１の開口部を塞ぐ円形の第１の塞ぎ部と、第２の開口部を塞ぐ細長形状の第２の塞ぎ部とを有し、回転基部及び指示部の光が目盛板側に漏れるのを防止している。
【先行技術文献】
【特許文献】
【０００６】
【特許文献１】特開２０１０−０２５５６７号公報
【発明の開示】
【発明が解決しようとする課題】
【０００７】
しかしながら、前記特許文献１に記載の指針装置は、導光部材から目盛板側に漏れる光を遮断するために、閉塞部材が必要であり、この閉塞部材は、回転部品である指針のモーメント（軽量化）を考慮して薄板状に形成されるため、細長形状の第２の塞ぎ部の強度が維持できない場合があり、欠損や熱等による変形、強度不足による外れといった問題が懸念されていた。また閉塞部材は、カバー部材の背後から導光部材を収納した後、カバー部材を塞ぐことにより、カバー部材から導光部材が目盛板側に脱落するのを防止する機能も有しており、閉塞部材を無くす替わりにカバー部材の目盛板側を塞ぐように連続形成すると、導光部材の組付けが困難になるという問題がある。
【０００８】
そこで、本発明は前述した問題点に着目し、閉塞部材を無くすか、あるいは閉塞部材の強度を維持しながら、組付け性の良好な指針装置とその組付け方法を提供することを目的とする。
【課題を解決するための手段】
【０００９】
本発明は、回転基部と、この回転基部から連続して目盛板上を所定方向に延びる棒状の指示部とを有する導光部材と、前記回転基部の周囲を覆う第１のカバー部と、この第１のカバー部から連続して前記指示部に沿って延びる第２のカバー部とを有するカバー部材とを備え、前記回転基部には、光源からの光を指示部の先端側に向けて反射する反射部が形成され、前記第１のカバー部は、前記回転基部の前面領域の少なくとも一部を覆う第１の前面壁と、前記回転基部の側面領域を覆う第１の側面壁と、目盛板側に開口する開口部とを有し、前記第２のカバー部は前記指示部の長手方向輪郭形状に対応した開口窓と、前記指示部の長手方向側面領域を覆う一対の第２の側面壁とを有する指針装置において、前記第２のカバー部は、前記目盛板側に前記第２の側面壁どうしを繋いでなる遮光部によって有底に連続形成され、前記指示部の先端を保持する袋状に形成された外れ防止部と、前記遮光部の前記開口部に隣接する箇所と前記開口窓の前記回転基部側箇所との間に、前記開口部と前記開口窓とに連通する連通部とを形成し、前記連通部が前記回転基部の回転軸線と平行な直線方向両方向に開口することを特徴とする。
このように構成することにより、遮光部で第２のカバー部の目盛板側を塞ぐことができるため、閉塞部材を無くすか、あるいは閉塞部材の長さを短くして強度を維持することができる。また指示部の先端を開口部側から連通部を通して開口窓側に貫通させた後、導光部材の両端側とカバー部材の両端側とが近づく方向に移動させることにより、導光部材をカバー部材に組付けることができるため、組付け性を良好となし得る。
【００１０】
また、このように構成することにより、指示部の先端を連通部に貫通させた後、導光部材の両端側とカバー部材の両端側とが近づく方向に移動させる際の移動作業を容易にでき、作業性を良好にできる。
【００１１】
また本発明は、回転基部と、この回転基部から連続して目盛板上を所定方向に延びる棒状の指示部とを有する導光部材と、前記回転基部の周囲を覆う第１のカバー部と、この第１のカバー部から連続して前記指示部に沿って延びる第２のカバー部とを有するカバー部材とを備え、前記回転基部には、光源からの光を指示部の先端側に向けて反射する反射部が形成され、前記第１のカバー部は、前記回転基部の前面領域の少なくとも一部を覆う第１の前面壁と、前記回転基部の側面領域を覆う第１の側面壁と、目盛板側に開口する開口部とを有し、前記第２のカバー部は前記指示部の長手方向輪郭形状に対応した開口窓と、前記指示部の長手方向側面領域を覆う一対の第２の側面壁とを有する指針装置の組付け方法において、前記第２のカバー部は、前記目盛板側に前記第２の側面壁どうしを繋いでなる遮光部によって有底に連続形成され、前記指示部の先端を保持する袋状に形成された外れ防止部と、前記遮光部の前記開口部に隣接する箇所と前記開口窓の前記回転基部側箇所との間に、前記開口部と前記開口窓とに連通するとともに、前記回転基部の回転軸線と平行な直線方向両方向に開口する連通部とを形成し、前記導光部材における前記指示部先端を前記開口部側から前記連通部を通して前記開口窓側に貫通させた後、前記導光部材の両端側と前記カバー部材の両端側とが近づく方向に回転移動させて、前記指示部の先端を前記外れ防止部に挿入することにより、前記導光部材を前記カバー部材に組付けた際に前記指示部の先端が前方に外れることを防止して保持し、前記開口窓内に前記指示部が収納されると共に前記開口部内に前記回転基部が収納されるように前記導光部材を前記カバー部材に組付けてなることを特徴とする。
このような組付け方法を採用することにより、閉塞部材を無くすか、あるいは閉塞部材の長さを短くして強度を維持しながら、組付け性を良好となし得る。
【発明の効果】
【００１２】
本発明によれば、閉塞部材を無くすか、あるいは閉塞部材の強度を維持しながら、組付け性の良好な指針装置を提供することができる。
【図面の簡単な説明】
【００１３】
【図１】本発明の一実施形態による指針装置の斜視図。
【図２】図１の分解斜視図。
【図３】同実施形態の正面図。
【図４】図３のＸ−Ｘ断面図（ハッチング省略）。
【図５】図４においてカバー部材を除いたときの断面図（ハッチング省略）。
【図６】図３のＡ−Ａ断面図（ハッチング省略）。
【図７】図３のＢ−Ｂ断面図（ハッチング省略）。
【図８】図３のＣ−Ｃ断面図（ハッチング省略）。
【図９】（ａ）〜（ｄ）は同実施形態におけるカバー部材と導光部材の組付け過程を示すカバー部材の一部を破断した斜視図である。
【発明を実施するための形態】
【００１４】
以下、図面を参照して本発明の一実施形態を説明する。図１、図２において指針装置１は、例えば自動車やオートバイの計器装置に組み込まれるもので、ステッピングモータ等の図示省略した駆動軸に連結されて目盛板（図示はしないが、図中、下側に位置）上を軸回り回転する。
【００１５】
この指針装置１は、前記駆動軸に連結される台座部材２と、この台座部材２を通じて前記駆動軸に連結される導光部材３と、この導光部材３の周囲を覆うカバー部材４とで構成されている。
【００１６】
台座部材２は、例えば遮光性を有する合成樹脂からなり、前記駆動軸の軸線方向に延び当該駆動軸に挿入連結されるボス部２１と、カバー部材３の後述する第１のカバー部の形状に対応した円板状の台座部２２と、この台座部２２から導光部材２に沿って延びる細長形状の閉塞部（閉塞部材）２３とを有している。
【００１７】
台座部２２は、図示しない光源からの光を前方側へと透過する貫通孔からなる透光部２２１と、この透光部２２１の周囲に位置して導光部材３の後述する回転基部の外形に対応して前方に隆起する隆起部２２２とを有し、隆起部２２２には更に前方へと突出する突起部２２３が形成されている。
【００１８】
導光部材３は、例えば透光性を有する合成樹脂からなり、上面視で略扇形状の回転基部３１と、この回転基部３１から連続して前記目盛板上を所定方向に延びる棒状の指示部３２とを有している。なおこの場合、回転基部３１の回転軸線ＲＡは指針１の回転軸線と一致している。
【００１９】
回転基部３１は、透光部２２１に対応する後方外壁面を利用して形成された反射部３１１と、その両側面から突出形成された一対のフランジ部３１２とを有し、反射部３１１は透光部２１１を通じて回転基部３１内に入射した光を指示部３２の先端側に反射する円錐面として形成され、フランジ部３１２には、台座部２２に設けた突起部２２３を挿入することにより導光部材３を台座部材２に位置決めする位置決め孔３１３が形成されている。
【００２０】
指示部３２は、先端が先細りとなる断面形状が矩形となる棒状体からなり、その前面または前記目盛板側となる背面には、着色用のホットスタンプ層が形成されており、反射部３１１を通じて指示部３２内に導入された光により、指示部３２はホットスタンプ層の色で発光する。
【００２１】
カバー部材４は、例えば遮光性を有する合成樹脂からなり、回転基部の周囲を覆う第１のカバー部４１と、この第１のカバー部４１から連続して指示部３２に沿って延びる第２のカバー部４２とを有している。
【００２２】
第１のカバー部４１は、回転基部３１の前面領域を覆う第１の前面壁４１１と、回転基部３１の側面領域を覆う第１の側面壁４１２と、前記目盛板側（背後側）に開口する開口部４１３（図４，図５参照）とを有しており、第１の前面壁４１１の前面視形状は円形で、第１の側面壁４１２は第１の前面壁４１１の縁を囲むようにラウンドしており、この結果、開口部４１３は前記目盛板側に開口し、第１の前面壁４１１と第２の側面壁４１２とで形成される空間内に回転基部３１及び台座部２２を収容する（図４参照）。
【００２３】
第２のカバー部４２は、指示部３２の長手方向輪郭形状に対応した開口窓４２１と、指示部３２の長手方向側面領域を覆う一対の第２の側面壁４２２と、前記目盛板側に形成され第２の側面壁４２２どうしを繋いでなる遮光部４２３と、この遮光部４２３の開口部４１３に隣接する箇所Ｐ１と開口窓４２１の回転基部３１側箇所Ｐ２との間に形成され開口部４１３と開口窓４２１とに連通する連通部４２４とを有している。
【００２４】
開口窓４２１は、指示部３２を前方側に露出するもので、前方側から指示部３２を収納可能な幅を有している。
【００２５】
第２の側面壁４２２の前記目盛板側は、遮光部４２３によって連続的に繋がることによって第２のカバー部４２は有底となると共に、その先端には、導光部材３をカバー部材４に組付けた際に指示部３２の先端が前方に外れることを防止する袋状の外れ防止部４２５が形成されている。
【００２６】
連通部４２４は、開口部４１３と開口窓４２１とに連通するだけでなく、回転基部３１の回転軸線ＲＡと平行な直線方向両方向（図中、両矢印参照）に開口している（図５参照）。この結果、遮光部４２３の開口部４１３に隣接する箇所Ｐ１の端部と、開口窓４２１の回転基部３１側箇所Ｐ２の端部は、回転軸線ＲＡと平行な直線方向から見たとき、距離Ｄ分離間している。
【００２７】
次に本実施形態による指針装置の組付け例を図９に基づいて説明する。
【００２８】
まず導光部材３をカバー部材４に組付ける。両部材の組付けは、図９（ａ）の状態から導光部材３の指示部３２先端をカバー部材４の開口部４１３側から連通部４２４を通して開口窓４２１側に斜めに貫通させる（図９（ｂ））。
【００２９】
この状態から導光部材３の両端側とカバー部材４の両端側とが近づく方向に（視認方向）左右軸ＬＲＡを起点に回転移動させ、開口窓４２１内に指示部３２を収納し、指示部３２の先端を外れ防止部４２５内によって保持すると共に、開口部内４１３に回転基部３１が収納されるように導光部材３をカバー部材４に組付ける（図９（ｃ））。導光部材３とカバー部材４とを回転移動させる際は、各箇所Ｐ１，Ｐ２間の距離Ｄの存在により回転移動それ自体や指示部３２先端の外れ防止部４２５内への挿入を容易にしている。
【００３０】
最後にカバー部４１の開口部内４１３側から台座部材２を組付ける。台座部材２の組付けは、台座部材２の外周をカバー部材４のカバー部４１内に形成した図示しない爪部に係合することにより行われる。これにより台座部材２とカバー部材４との間に導光部材３が挟み付け固定される。なお台座部材２と導光部材３の位置決めは、突起部２２３を位置決め孔３１３に挿入することにより行われる。
【００３１】
以上のように本実施形態では、回転基部３１と、この回転基部３１から連続して前記目盛板上を所定方向に延びる棒状の指示部３２とを有する導光部材３と、回転基部３１の周囲を覆う第１のカバー部４１と、この第１のカバー部４１から連続して指示部３２に沿って延びる第２のカバー部４２とを有するカバー部材４とを備え、回転基部３１には、図示しない発光ダイオード等の光源からの光を指示部３２の先端側に向けて反射する反射部３１１が形成され、第１のカバー部４１は、回転基部３１の前面領域の少なくとも一部を覆う第１の前面壁４１１と、回転基部３１の側面領域を覆う第１の側面壁４１２と、前記目盛板側に開口する開口部４１３とを有し、第２のカバー部４２は指示部３２の長手方向輪郭形状に対応した開口窓４２１と、指示部３２の長手方向側面領域を覆う一対の第２の側面壁４２２とを有する指針装置において、第２のカバー部４２の前記目盛板側に第２の側面壁４２２どうしを繋いでなる遮光部４２３を連続形成し、この遮光部４２３の開口部４１３に隣接する箇所Ｐ１と、開口窓４２１の回転基部３１側箇所Ｐ２との間に、開口部４１３と開口窓４２１とに連通する連通部４２４を形成してなることにより、遮光部４２３で第２のカバー部４２の前記目盛板側を塞ぐことができるため、閉塞部（閉塞部材）２３の長さを短くして強度を維持することができる。また指示部３２の先端を開口部４１３側から連通部４２４を通して開口窓４２１側に貫通させた後、導光部材３の両端側とカバー部材４の両端側とが近づく方向に移動させることにより、導光部材３をカバー部材４に組付けることができるため、組付け性を良好となし得る。
【００３２】
なお本実施形態では、連通部４２４の前記直線方向背後側を覆って光漏れを抑制するために、閉塞部２３を形成したが、特にこの部分を塞ぐ必要がなければ閉塞部２３はなくしてもよい。
【００３３】
また本実施形態では、連通部４２４が回転基部３１の回転軸線ＲＡと平行な直線方向両方向に開口することにより、指示部３２の先端を連通部４２４に貫通させた後、導光部材３の両端側とカバー部材４の両端側とが近づく方向に回転移動させて組付ける際の組付け作業を容易にでき、作業性を良好にできる。
【００３４】
なお本実施形態では、導光部材３（指示部３２）とカバー部材４（第２のカバー部４２）が直線状の指針装置を例に説明したが、本発明は、導光部材３（指示部３２）とカバー部材４（第２のカバー部４２）が折れ曲がった形状の指針装置に適用することも可能である。
【符号の説明】
【００３５】
１  指針装置
２  台座部材
３  導光部材
４  カバー部材
２１  ボス部
２２  台座部
２３  閉塞部（閉塞部材）
２２１  透光部
２２２  隆起部
２２３  突起部
３１  回転基部
３２  指示部
３１１  反射部
３１２  フランジ部
３１３  位置決め孔
４１  第１のカバー部
４２  第２のカバー部
４１１  第１の前面壁
４１２  第１の側面壁
４１３  開口部
４２１  開口窓
４２２  第２の側面壁
４２３  遮光部
４２４  連通部
４２５  外れ防止部
Ｄ  距離
Ｐ１  箇所
Ｐ２  箇所
ＲＡ  回転軸線
【図１】
0005348509.tif 000002
【図２】
0005348509.tif 000003
【図３】
0005348509.tif 000004
【図４】
0005348509.tif 000005
【図５】
0005348509.tif 000006
【図６】
0005348509.tif 000007
【図７】
0005348509.tif 000008
【図８】
0005348509.tif 000009
【図９】
0005348509.tif 000010